【手続補正書】
【提出日】平成29年12月28日(2017.12.28)
【手続補正１】
【補正対象書類名】特許請求の範囲
【補正対象項目名】全文
【補正方法】変更
【補正の内容】
【特許請求の範囲】
【請求項１】
連続構成で配列されたナノフィブリル多糖類を含むメンブレンおよび細胞を含む装置であって、
前記メンブレンの少なくとも一面は、マイクロスケール凹部および／または突出部を含む少なくとも一つのパターニングされた領域を含み、
前記ナノフィブリル多糖類は、植物由来のナノフィブリルセルロースを含み、
前記パターニングされた領域は、単位の繰返しパターンを含み、一つの単位の少なくとも一つの寸法が、前記メンブレンの平面に沿って１μｍ〜５００μｍである、
前記装置。
【請求項２】
前記メンブレンの少なくとも一面は、マイクロスケール凹部および／または突出部を連続的相互接続単位として有するパターニングされた領域を含む、請求項１に記載の装置。
【請求項３】
前記パターニングされた領域の数平均厚さは、１００ｎｍ〜１００μｍである、請求項１〜請求項２のいずれか一項に記載の装置。
【請求項４】
前記パターニングされた領域は、１０ｎｍ〜１０μｍの幅を有する共通壁と相互接続された単位の繰返しパターンを含む、請求項１〜請求項３のいずれか一項に記載の装置。
【請求項５】
前記メンブレンは、１μｍ〜３００μｍの厚さを有する、請求項１〜請求項４のいずれか一項に記載の装置。
【請求項６】
前記メンブレンは、ナノフィブリル多糖類の乾燥重量９０〜１００％を含む、請求項１〜請求項５のいずれか一項に記載の装置。
【請求項７】
前記ナノフィブリル多糖類は、ヘミセルロース、キチン、キトサン、アルジネート、ペクチン、アラビノキシラン、またはこれらの誘導体をさらに含む、請求項１〜請求項６のいずれか一項に記載の装置。
【請求項８】
前記ナノフィブリル多糖類は、植物由来のセルロースの誘導体を含む、請求項１〜請求項７のいずれか一項に記載の装置。
【請求項９】
前記ナノフィブリル多糖類は、機械的に崩壊されたものである、請求項１〜請求項８のいずれか一項に記載の装置。
【請求項１０】
前記ナノフィブリル多糖類は、１〜５００ｎｍの数平均直径を有する多糖類ナノフィブリルおよび／またはナノフィブリル束を含む、請求項１〜請求項９のいずれか一項に記載の装置。
【請求項１１】
前記メンブレンの両面がパターニングされた、請求項１〜請求項１０のいずれか一項に記載の装置。
【請求項１２】
前記細胞は冷凍乾燥される、請求項１〜請求項１１のいずれか一項に記載の装置。
【請求項１３】
当該装置は、乾燥した形態になっている、請求項１〜請求項１２のいずれか一項に記載の装置。
【請求項１４】
前記マイクロスケール凹部および／または突出部は、前記細胞が前記メンブレンの凹部を収容できるようにしておよび／または前記細胞が前記メンブレンの突出部上に本質的に付着できるようにする寸法を有する、請求項１〜請求項１３のいずれか一項に記載の装置。
【請求項１５】
前記メンブレン内に吸収された水性培地を含み、
前記水性培地は、水、滅菌水、精製水、生理的食塩水、生理的緩衝剤、培養培地、栄養剤、および／または生理活性剤、およびこれらの組合せを含む、請求項１〜請求項１４のいずれか一項に記載の装置。
【請求項１６】
前記生理活性剤は、蛋白質、ペプチド、炭水化物、脂質、核酸およびこれらの破片、抗ウイルス化合物、抗炎症化合物、抗真菌化合物と抗バクテリア化合物などの抗生化合物、細胞分化剤、鎮痛剤、医療診断撮像のための造影剤、酵素、サイトカイン、麻酔剤、抗ヒスタミン剤、免疫系に作用する薬剤、免疫刺激剤、止血剤、ホルモン、血管形成剤または抗血管形成剤、神経伝達物質、治療用オリゴ核酸塩、ウイルス粒子、ベクター、成長因子、レチノイド、細胞接着因子、骨形成因子、抗体、抗原、ペプチド、細胞、および無細胞マトリックスを含むこれらの誘導体からなる群から選択される、請求項１５に記載の装置。
【請求項１７】
前記メンブレンの少なくとも一面中の少なくとも一部は、ラミニン、フィブロネクチン、ビトロネクチン、類型Ｉコラーゲン、類型ＩＩコラーゲン、および類型ＩＶコラーゲンおよび／またはこれらの組合せやフラクションまたは複合混合物などのすべての種類の細胞外マトリックス蛋白質からなる群から選択される細胞接着を向上させるための薬剤でコーティングされるかこのような薬剤と化学的に結合された、請求項１〜請求項１６のいずれか一項に記載の装置。
【請求項１８】
前記装置の中心領域または周辺領域などの前記生体医学的装置の少なくとも一部の上で延びる一つ以上の層をさらに含み、前記する一つ以上の層は、支持層、バッキング（ｂａｃｋｉｎｇ）層、保湿層、吸湿層、吸気障壁層、気体障壁層、臭い吸収層、薬物含有層、接着層および／または粘膜粘着層中で選択される、請求項１〜請求項１７のいずれか一項に記載の装置。
【請求項１９】
前記細胞は、自家細胞、同種異形細胞、幹細胞、電球細胞、前駆体細胞、結合組織細胞、上皮細胞、筋肉細胞、神経細胞性細胞、内皮細胞、繊維芽細胞、角質細胞、なめらかな筋肉細胞、間質細胞、間充織細胞、臍帯血細胞、胚胎幹細胞、誘導多能性細胞、胎盤細胞、骨髓誘導細胞、免疫系細胞、造血細胞、樹突状細胞、毛穴細胞、軟骨細胞、ハイブリードマ細胞、および／またはこれらの組合せを含む、請求項１〜請求項１８のいずれか一項に記載の装置。
【請求項２０】
前記細胞は、傷治癒のための治療に有用な細胞を含む、請求項１〜請求項１９のいずれか一項に記載の装置。
【請求項２１】
連続構成で配列されたナノフィブリル多糖類を含む、請求項１〜請求項２０のいずれか一項に記載された装置を製造する方法であって、
メンブレンの少なくとも一面は、マイクロスケール凹部および／または突出部を含む少なくとも一つのパターニングされた領域を含み、前記パターニングされた領域は、単位の繰返しパターンを含み、一つの単位の少なくとも一つの寸法が、前記メンブレンの平面に沿って１μｍ〜５００μｍであり、
当該方法は、
ａ．細胞を提供する段階、
ｂ．連続構成で配列されたナノフィブリル多糖類を含むメンブレンを吸収する段階であって、前記メンブレンの少なくとも一面は水性培地とともにマイクロスケール凹部および／または突出部を含む少なくとも一つのパターニングされた領域を含む、該段階、
ｃ．前記メンブレン上に前記細胞を転写する段階、および
ｄ．前記メンブレン上に前記細胞が付着できるし前記細胞の未分化な成長または分化した成長や維持が可能な状態で前記細胞を培養する段階を含む、
前記方法。
【請求項２２】
前記細胞は、自家細胞、同種異形細胞、幹細胞、電球細胞、前駆体細胞、結合組織細胞、上皮細胞、筋肉細胞、神経細胞性細胞、内皮細胞、繊維芽細胞、角質細胞、なめらかな筋肉細胞、間質細胞、間充織細胞、臍帯血細胞、胚胎幹細胞、誘導多能性細胞、胎盤細胞、骨髓誘導細胞、免疫系細胞、造血細胞、樹突状細胞、毛穴細胞、軟骨細胞、ハイブリードマ細胞、および／またはこれらの組合せを含む、請求項２１に記載の方法。
【請求項２３】
前記細胞は冷凍乾燥される、請求項２１または請求項２２に記載の方法。
【請求項２４】
前記ｂの段階と前記ｃの段階は同時に実行される、請求項２１〜請求項２３のいずれか一項に記載の方法。
【請求項２５】
療法に使うための、請求項１〜請求項２０のいずれか一項に記載の装置。
【請求項２６】
傷の治療に使うための、請求項１〜請求項２０のいずれか一項に記載の装置。
【請求項２７】
真皮組織損傷からの回復の間、炎症、免疫拒否、または傷跡形成を防止することに使うように脂肪誘導幹細胞または骨髓誘導幹細胞を含む、請求項１〜請求項２０のいずれか一項に記載の装置。